(57)【要約】      （修正有）【解決手段】  メモリカード５２に記録されたチャネルスキャンテーブル３６ａ、視聴履歴テーブル３６ｂなどからチャネル情報を読み出し、読み出したチャネル情報をモニタ７０に表示する。表示されたチャネル情報の中から、ユーザによって所望の番組のチャネル番号が選択されると、選択されたチャネル番号を含む受信予約情報に基づいて、番組の受信を予約する。【効果】  チャネル番号を正確に記録していない場合であっても、メモリカード５２に記録されているチャネル情報に基づいてチャネル番号を選択するので、所望の番組の受信を予約することができる。【選択図】  図１
2006013586.tif 000002
【特許請求の範囲】
【請求項１】
チャネル情報を記録する第１記録手段、
前記第１記録手段に記録された前記チャネル情報を読み出す読み出し手段、
前記読み出し手段によって読み出された前記チャネル情報を表示する第１表示手段、
表示された前記チャネル情報に基づいて選択された所望のコンテンツのチャネル番号を取り込む取り込み手段、および
前記第１取り込み手段によって取り込まれた前記チャネル番号を含む受信予約情報に基づいて前記コンテンツの受信を予約する受信予約手段を備えることを特徴とする、携帯端末。
【請求項２】
前記受信予約情報に基づいて前記所望のコンテンツを受信する受信手段、および
前記受信手段によって受信された前記所望のコンテンツを記録する第２記録手段をさらに備える、請求項１記載の携帯端末。
【請求項３】
前記第１表示手段は、前記チャネル情報を地域毎にまとめた第１リストを表示する第２表示手段を含み、
前記第１取り込み手段は、表示された前記第１リストに基づいて選択された所望の地域の前記チャネル情報を取り込む第２取り込み手段をさらに備える、請求項１または２記載の携帯端末。
【請求項４】
前記第２表示手段は、前記チャネル情報を種別毎にまとめた第２リストを表示する第３表示手段を含み、
前記第２取り込み手段は、表示された前記第２リストに基づいて所望の種別の前記第１リストを取り込む第３取り込み手段を含む、請求項３記載の携帯端末。
【請求項５】
前記チャネル情報は、少なくともチャネルスキャンにより取得されたチャネル情報、過去に視聴したコンテンツに基づくチャネル情報、あらかじめ前記記録手段に記録されたチャネル情報のいずれかを含む、請求項１ないし４のいずれかに記載の携帯端末。
【請求項６】
前記受信予約情報は、放送局名を含む、請求項１ないし５のいずれかに記載の携帯端末。
【請求項７】
前記受信予約情報は、さらにコンテンツの視聴履歴情報を含む、請求項６記載の携帯端末。
【発明の詳細な説明】
【技術分野】
【０００１】
この発明は、携帯端末に関し、特にたとえば、記録手段に記録されたチャネル情報に基づいてコンテンツを受信する、携帯端末に関する。
【背景技術】
【０００２】
この種の携帯端末では、所望の番組の録画予約または視聴予約を行う場合、その番組を放送する放送局のチャネル番号を、テンキーを操作して直接入力しなければならなかった。
【発明の開示】
【発明が解決しようとする課題】
【０００３】
しかし、従来技術では、所望の番組を放送している放送局のチャネル番号を入力しようとしても、チャネル番号を正確に覚えていないと、受信予約をすることができないという問題があった。
【０００４】
それゆえに、この発明の主たる目的は、チャネル番号を正確に覚えていない場合でも番組の受信予約をすることができる、携帯端末を提供することである。
【課題を解決するための手段】
【０００５】
請求項１の発明は、チャネル情報を記録する第１記録手段、第１記録手段に記録されたチャネル情報を読み出す読み出し手段、読み出し手段によって読み出されたチャネル情報を表示する第１表示手段、表示されたチャネル情報に基づいて選択された所望のコンテンツのチャネル番号を取り込む取り込み手段、および第１取り込み手段によって取り込まれたチャネル番号を含む受信予約情報に基づいてコンテンツの受信を予約する受信予約手段を備えることを特徴とする、携帯端末である。
【０００６】
請求項１の発明では、記録手段に記録されたチャネル情報を、読み出し手段によって読み出し、読み出されたチャネル情報を第１表示手段によって表示する。次に、表示されたチャネル情報に基づいて選択された所望のコンテンツのチャネル番号を第１取り込み手段によって取り込むと、取り込まれたチャネル番号を含む受信予約情報に基づいて、受信予約手段によりコンテンツの受信を予約することができる。
【０００７】
このように、チャネル番号を正確に記録していない場合であっても、第１記録手段に記録されているチャネル情報に基づいてチャネル番号を選択して、所望のコンテンツの受信予約をすることができる。
【０００８】
請求項２の発明は、請求項１に従属し、受信予約情報に基づいて所望のコンテンツを受信する受信手段、および受信手段によって受信された所望のコンテンツを記録する第２記録手段をさらに備える、携帯端末である。
【０００９】
請求項２の発明では、受信手段によって受信された所望のコンテンツを、第２記録手段に記録する。この場合、ユーザは第２記録手段に記録されたコンテンツをいつでも再生して楽しむことができる。
【００１０】
請求項３の発明は、請求項１または２に従属し、第１表示手段は、チャネル情報を地域毎にまとめた第１リストを表示する第２表示手段を含み、第１取り込み手段は、表示された第１リストに基づいて選択された所望の地域のチャネル情報を取り込む第２取り込み手段をさらに備える、携帯端末である。
【００１１】
請求項３の発明では、第２表示手段によってチャネル情報を地域毎にまとめた第１リストを表示する。そして、表示された第１リストに基づいて選択された所望の地域のチャネル情報を、第２取り込み手段によって取り込む。この場合、第１リストに基づいて所望の地域のチャネル情報を選択するので、チャネル番号を容易に選択することができる。
【００１２】
請求項４の発明は、請求項３に従属し、第２表示手段は、第１リストを種別毎にまとめた第２リストを表示する第３表示手段を含み、第２取り込み手段は、表示された第２リストに基づいて選択された所望の種別の第１リストを取り込む第３取り込み手段を含む、携帯端末である。
【００１３】
請求項４の発明では、第３表示手段によって第１リストを種別毎にまとめた第２リストを出力する。そして、出力された第２リストに基づき、第３選択手段によって所望の種別の第１リストを選択する。この場合、第２リストに基づいて所望の種別の第１リストを選択するので、チャネル番号をより容易に選択することができる。
【００１４】
請求項５の発明は、請求項１ないし４のいずれかに従属し、チャネル情報は、少なくともチャネルスキャンにより取得されたチャネル情報、過去に視聴したコンテンツに基づくチャネル情報、あらかじめ記録手段に記録されたチャネル情報のいずれかを含む、携帯端末である。この場合、少なくとも４種類のチャネル情報のいずれかに基づいて所望のチャネル番号を選択することができる
請求項６の発明は、請求項１ないし５のいずれかに従属し、受信予約情報は、放送局名を含む、携帯端末である。この場合、放送局名を手がかりとしてチャネル番号を選択することができる。
【００１５】
請求項７の発明は、請求項６に従属し、受信予約情報は、さらにコンテンツの視聴履歴情報を含む、携帯端末である。この場合、コンテンツの視聴履歴情報を手がかりとしてチャネル番号を選択することができる。
【発明の効果】
【００１６】
この発明によれば、チャネル番号を正確に覚えていなくても、記録手段に記録されたチャネル情報に基づいて、受信予約を行うことができる。
【００１７】
この発明の上述の目的，その他の目的，特徴および利点は、図面を参照して行う以下の実施例の詳細な説明から一層明らかとなろう。
【発明を実施するための最良の形態】
【００１８】
図１を参照して、この実施例の携帯電話１０は、移動通信システムを用いて移動通信を行う移動通信回路１２と、地上デジタルテレビジョン放送（以下「テレビジョン放送」という）システムを用いて放送された番組を受信する放送番組受信回路１４と、移動通信回路１２および放送番組受信回路１４の両方を制御するＣＰＵ３２とを含む。
【００１９】
操作パネル３８によってダイヤル操作が行われると、ＣＰＵ３２は、移動通信回路１２に設けられた無線回路１８に発呼処理を命令する。この発呼処理によって相手方との接続が確立されると、通話可能状態となる。また、アンテナ１６を通して発呼信号を受信すると、無線回路１８はＣＰＵ３２に発呼信号を受信したことを伝える。ＣＰＵ３２は、音声メッセージの出力を放送番組受信回路１４に設けられたサウンドジェネレータ６０に命令するとともに、呼び出しメッセージを表すキャラクタ信号の発生を放送番組受信回路１４に設けられたキャラクタジェネレータ６８に命令する。これによって、呼び出し音がスピーカ６２から出力されるとともに、呼び出しメッセージがモニタ７０から出力される。かかる音声メッセージおよび呼び出しメッセージの出力を受けて、操作パネル３８により着信操作が行われると、相手方との接続が確立され、通話可能状態となる。
【００２０】
通話可能状態に移行すると、マイクロフォン３０によって捉えられた音声信号がアンプ２８によって増幅され、かつＡＤ／ＤＡ変換回路２２によってデジタル信号である音声データに変換される。変換された音声データは信号処理回路２０によってパケットデータつまり音声パケットに符号化され、符号化された音声パケットは無線回路１８によって変調される。変調された音声パケットは、アンテナ１６を介して相手方に発信される。相手方から送られてきた音声パケットは、アンテナ１６によって受信され、無線回路１８によって復調される。復調された音声パケットは、信号処理回路２０によって音声データに復号され、復号された音声データは、ＡＤ／ＤＡ変換回路２２によってアナログ信号である音声信号に変換される。変換された音声信号は、アンプ２４を介してスピーカ２６から出力される。
【００２１】
次に、番組を録画する場合について説明する。ＣＰＵ３２は、放送番組受信回路１４を起動するとともに、録画予約されているチャネルの選局をチューナ４４に命令する。この場合、チューナ４４は、アンテナ４２によって捉えられた放送データの中から所望のチャネルの放送データを抽出し、抽出したチャネルの放送データにＭＰＥＧフォーマットに従う復調処理を施す。復調された放送データは、バッファメモリ４６を介してデマルチプレクサ４８に与えられる。
【００２２】
デマルチプレクサ４８は、与えられた放送データから音声パケットおよび映像パケットを抽出し、メモリカードコントローラ５０に与える。メモリカードコントローラ５０は、与えられた音声パケットおよび映像パケットをメモリカード５２に記録する。このようにして、メモリカード５２に番組が録画される。
【００２３】
次に、メモリカード５２に録画された番組を再生する場合について説明する。ＣＰＵ３２は、放送番組受信回路１４を起動して、メモリカードコントローラ５０に番組の映像パケットおよび音声パケットの読み出しを命令する。メモリカードコントローラ５０は、番組の音声パケットおよび映像パケットを読み出し、読み出した音声パケットおよび映像パケットをＡＶセレクタ５４に与える。ＡＶセレクタ５４は、与えられた音声パケットおよび映像パケットをＨ２６４オーディオデコーダ５６およびＨ２６４ビデオデコーダ６４にそれぞれ与える。
【００２４】
Ｈ２６４オーディオデコーダ５６は、与えられた音声パケットをデコードして音声データを生成し、生成した音声データをＤ／Ａ変換器５８に与える。Ｄ／Ａ変換器５８は、与えられた音声データをアナログ信号である音声信号に変換し、変換した音声信号をスピーカ６２に与える。この結果、所望のチャネルで放送される番組の音声がスピーカ６２から出力される。
【００２５】
Ｈ２６４ビデオデコーダ６４は、与えられた映像パケットをデコードして映像データを生成し、生成した映像データをＮＴＳＣエンコーダ６６に与える。ＮＴＳＣエンコーダ６６は、与えられた映像データをコンポジット映像信号に変換し、変換したコンポジット映像信号をモニタ７０に与える。この結果、所望のチャネルで放送される番組の映像が、モニタ７０に表示される。このようにして、ユーザは、録画された番組を再生することができる。
【００２６】
また、番組を直接視聴する場合について説明する。上述の録画の場合と同様にして、チューナ４４は、デマルチプレクサ４８に所望のチャネルの放送データを与える。デマルチプレクサ４８は、与えられた放送データから音声パケットおよび映像パケットを抽出し、抽出した音声パケットおよび映像パケットをＡＶセレクタ５４に与える。そして、ＡＶセレクタ５４が、与えられた音声パケットおよび映像パケットをＨ２６４オーディオデコーダ５６およびＨ２６４ビデオデコーダ６４にそれぞれ与えると、上述の再生の場合と同様にして、スピーカ６２およびモニタ７０から音声および映像がそれぞれ出力される。このようにして、ユーザは、番組を直接視聴することができる。
【００２７】
図２を参照して、携帯電話１０の外観について説明する。携帯電話１０は、その中央部で折り畳むことができるように２つの部分から構成されている。その一方にはモニタ７０が設けられている。モニタ７０には、後述する各種のテーブル、所望のチャネルで放送される番組などが表示される。
【００２８】
他方には、その下部にテンキー３８ａが配置されている。ユーザは、このテンキー３８ａを操作することにより、所望のチャネルのチャネル番号を入力したり、文字や電話番号を入力したりすることができる。また、テンキー３８ａの上部には、上下左右方向にカーソルを移動させることができるカーソルキー３８ｂ〜３８ｅが設けられている。後述するように、ユーザは、カーソルキー３８ｂ、３８ｃを操作して、所望のチャネル放送されている番組をモニタ７０に表示させることができる。
【００２９】
カーソルキー３８ｂ〜３８ｅによってその周囲を囲まれた中央には、セットキー３８ｆが設けられている。セットキー３８ｆは、カーソルキー３８ｂ、３８ｃによって選択された内容を確定するときに操作される。オフフックキー３８ｇは、電話着信に応答して通話を開始するときに操作されるキーである。オンフックキー３８ｈは、通話が終了したとき、通信回線との接続を切断するためのキーであり、携帯電話１０の電源キーも兼ねている。
【００３０】
さらに、カーソルキー３８ｂ〜３８ｅの上部には、ＴＶボタン３８ｉ、録画ボタン３８ｊおよび再生ボタン３８ｋが設けられている。ＴＶボタン３８ｉは、チューナ４４の電源をオン／オフするときに操作するボタンであり、ＴＶボタン３８ｉを操作することによりテレビジョン放送の放送データの受信を開始したり、終了したりすることができる。録画ボタン３８ｊは、番組の録画予約に必要な録画予約情報を入力できる予約設定画面をモニタ７０に表示するときに操作するボタンであり、再生ボタン３８ｋは、録画した番組を再生してモニタ７０に表示するときに操作するボタンである。
【００３１】
図３を参照して、録画ボタン３８ｊが操作されると、予約設定画面がモニタ７０に表示される。ユーザは、録画予約に必要な録画予約情報を予約設定画面に入力する。具体的には、所望の番組が放送されるチャネルのチャネル番号、番組の放送日時、放送開始時刻、放送終了時刻および録画フォーマットである。ここで、録画フォーマットは、録画する映像の画質を表すもので、高画質のときは“ＨＤ”を、標準画質のときは“ＳＤ”を入力する。
【００３２】
ユーザが、テンキー３８ａを操作して予約設定画面に録画予約情報を入力した後、予約設定画面の右下に表示された登録キーを操作すると、予約録画画面に記載された録画予約情報がフラッシュメモリ３６に登録される。そして、ＣＰＵ３２は、時計３４から与えられる時刻情報に基づき、番組の放送開始時刻になると、チューナ４４の電源をオンしてメモリカード５２への録画を開始し、番組の放送終了時刻になると、チューナ４４の電源をオフして録画を終了する。
【００３３】
ここで、録画予約を行う地域と録画を行う地域とが同じ地域である場合は問題ないが、異なる地域である場合、ユーザが録画予約時に、録画を行う地域で放送される番組のチャネル番号を正確に記憶していない場合がある。この場合、ユーザは、番組の放送日時、放送開始時刻、放送終了時刻および録画フォーマットについては入力できるが、チャネル番号を入力できないために、録画予約をすることができない。しかし、ユーザは、チャネル番号を正確に記憶していなくても、放送局名などを覚えていて、これを手がかりにして正確なチャネル番号を知ることができる場合がある。このような場合、ユーザが予約設定画面の左下に表示されているメニューキーを操作すると、次に説明するチャネル番号設定メニューがモニタ７０に表示される。
【００３４】
図４を参照して、モニタ７０に表示されたチャネル番号設定メニューについて説明する。チャネル番号設定メニューには、チャネルスキャンテーブルリスト、視聴履歴テーブルリスト、地域情報テーブルリスト、デジアナ対比テーブルリストの４つのテーブルリスト名が表示されている。ユーザは、録画を行う地域で放送される所望の番組のチャネル番号を正確に知るために、カーソルキー３８ｂ、３８ｃおよびセットキー３８ｆを操作して、これらのテーブルリスト名の中から所望のテーブルリスト名を選択して、チャネル番号の検索を行う。なお、各テーブルリストの詳細については後述する。
【００３５】
図５（Ａ）および図５（Ｂ）は、モニタ７０に表示されたチャネルスキャンテーブルリストおよびチャネルスキャンテーブル３６ａである。チャネルスキャンテーブル３６ａは、ユーザがこれから録画を行う予定の地域に以前に行ったとき、その地域の放送局がチャネルスキャンされて、その地域にあるすべての放送局名とチャネル番号が記載されたテーブルであり、都道府県毎に作成されてフラッシュメモリ３６に保存されている。また、チャネルスキャンテーブルリストは、チャネルスキャンテーブル３６ａが作成された都道府県名を示すリストである。
【００３６】
モニタ７０にチャネル番号設定メニューが表示されているとき、ユーザがカーソルキー３８ｂ、３８ｃおよびセットキー３８ｆを操作してチャネルスキャンテーブル３６ａを選択すると、チャネルスキャンテーブルリストがモニタ７０に表示される。ユーザがこれから出かけて行って録画を行う地域が“東京”である場合、ユーザはカーソルキー３８ｂ、３８ｃおよびセットキー３８ｆを操作して、図５（Ａ）で“東京”を選択すると、図５（Ｂ）に示す“東京”のチャネルスキャンテーブル３６ａがモニタ７０に表示される。このチャネルスキャンテーブル３６ａには、チャネル番号だけでなく、チャネル番号と対応する放送局名も表示される。
【００３７】
そこで、ユーザは、表示された放送局名を手がかりとして、カーソルキー３８ｂ、３８ｃおよびセットキー３８ｆを操作することによって、チャネルスキャンテーブル３６ａから所望の放送局のチャネル番号を選択することができる。所望のチャネル番号が選択されると、予約設定画面のチャネル番号の欄に選択されたチャネル番号が記載され、チャネル番号が記載された予約設定画面がモニタ７０に表示される。さらに、予約設定画面の右下にある登録キーが操作されると、録画予約情報がフラッシュメモリ３６に保存されて録画予約が完了する。このようにして、ユーザの東京滞在中に、予約設定画面に記載された録画予約情報に基づいて“東京”で放送される番組がメモリカード５２に録画される。
【００３８】
なお、チャネルスキャンテーブル３６ａは、チャネルスキャンテーブル３６ａを作成したい地域で、操作パネル３８に設けられたスキャンボタン（図示しない）を操作すると、その地域で放送されているすべての放送局名とチャネル番号がフラッシュメモリ３６に自動的に保存される。また、チャネルスキャンテーブルリストの地域名欄に、都道府県名ではなく、例えば“自宅”などと記載することもできる。この場合、自宅がある地域でチャネルスキャンして作成したされたテーブルであることを示している。したがって、自宅が大阪にある場合、“自宅”と“大阪”のそれぞれのチャネルスキャンテーブル３６ａは同一内容のテーブルとなる。
【００３９】
図６（Ａ）および図６（Ｂ）は、モニタ７０に表示された視聴履歴テーブルリストおよび視聴履歴テーブル３６ｂである。視聴履歴テーブル３６ｂは、ユーザがこれから録画を行う予定の地域に以前に行ったとき、その地域の放送局の選局を行って視聴したことがある放送局名とチャネル番号を記録したテーブルであり、都道府県毎に作成されてフラッシュメモリ３６に保存されている。また、視聴履歴テーブルリストは、視聴履歴テーブル３６ｂが作成された都道府県名を示すリストである。
【００４０】
モニタ７０にチャネル番号設定メニューが表示されているとき、ユーザがカーソルキー３８ｂ、３８ｃおよびセットキー３８ｆを操作して視聴履歴テーブルリスト３６ｂを選択すると、視聴履歴テーブルリストがモニタ７０に表示される。ユーザがこれから出かけて行って録画を行う地域が“東京”である場合、ユーザはカーソルキー３８ｂ、３８ｃおよびセットキー３８ｆを操作して、図６（Ａ）で“東京”を選択すると、図６（Ｂ）に示す“東京”の視聴履歴テーブル３６ｂがモニタ７０に表示される。この視聴履歴テーブル３６ｂには、チャネル番号だけでなく、チャネル番号と対応する放送局名およびその放送局の番組の視聴を開始した日時なども表示される。
【００４１】
そこで、ユーザは、チャネル番号と対応して表示されるこれらの情報を手がかりとして、カーソルキー３８ｂ、３８ｃおよびセットキー３８ｆを操作することによって、視聴履歴テーブル３６ｂから所望の放送局のチャネル番号を選択することができる。所望のチャネル番号が選択されると、予約設定画面のチャネル番号の欄に選択されたチャネル番号が記載され、チャネル番号が記載された予約設定画面がモニタ７０に表示される。さらに、登録キーが操作されると、録画予約情報がフラッシュメモリ３６に保存されて録画予約が完了する。このようにして、ユーザの東京滞在中に、予約設定画面に記載された録画予約情報に基づいて“東京”で放送される番組がメモリカード５２に録画される。
【００４２】
なお、視聴履歴テーブル３６ｂは、番組を視聴する毎に、その放送データから視聴履歴テーブル３６ｂの作成に必要な情報が自動的に取得されて作成されて、フラッシュメモリ３６に保存される。
【００４３】
図７（Ａ）および図７（Ｂ）は、モニタ７０に表示された地域情報テーブルリストおよび地域情報テーブル３６ｃである。まず、地域情報テーブル３６ｃは、都道府県毎にその地域のすべての放送局名と対応するチャネル番号が記載されたテーブルであり、メーカによって作成されて、フラッシュメモリ３６に保存されている。また、地域情報テーブルリストは、地域情報テーブル３６ｃが作成された都道府県名を示すリストである。
【００４４】
モニタ７０にチャネル番号設定メニューが表示されているとき、ユーザがカーソルキー３８ｂ、３８ｃおよびセットキー３８ｆを操作して地域情報テーブルリストを選択すると、地域情報テーブルリストが表示される。そこで、ユーザがこれから出かけて行って録画を行う地域が“東京”である場合、ユーザはカーソルキー３８ｂ、３８ｃおよびセットキー３８ｆを操作して、図７（Ａ）で“東京”を選択すると、図７（Ｂ）に示す“東京”の地域情報テーブル３６ｃがモニタ７０に表示される。この地域情報テーブル３６ｃには、チャネル番号だけでなく、チャネル番号に対応する放送局名もモニタ７０に表示される。
【００４５】
そこで、ユーザは、表示された放送局名を手がかりとして、カーソルキー３８ｂ、３８ｃおよびセットキー３８ｆを操作することによって、地域情報テーブル３６ｃから所望の放送局のチャネル番号を選択することができる。所望のチャネル番号が選択されると、予約設定画面のチャネル番号の欄に選択されたチャネル番号が記載され、チャネル番号が記載された予約設定画面がモニタ７０に表示される。さらに、登録キーが操作されると、録画予約情報がフラッシュメモリ３６に保存されて録画予約が完了する。このようにして、ユーザの東京滞在中に、予約設定画面に記載された録画予約情報に基づいて“東京”で放送される番組がメモリカード５２に録画される。
【００４６】
図８（Ａ）および図８（Ｂ）は、モニタに表示されたデジアナ対比テーブルリストおよびデジアナ対比テーブル３６ｄである。デジアナ対比テーブル３６ｄは、都道府県毎にその地域のアナログ放送のチャネル番号と対応するデジタル放送のチャネル番号との対応関係を示すテーブルであり、メーカによって作成されフラッシュメモリ３６に保存されている。また、デジアナ対比テーブルリストは、デジアナ対比テーブル３６ｄが作成された都道府県名を示すリストである。
【００４７】
モニタ７０にチャネル番号設定メニューが表示されているとき、ユーザがカーソルキー３８ｂ、３８ｃおよびセットキー３８ｆを操作してデジアナ対比テーブルリストを選択すれば、モニタ７０にデジアナ対比テーブルリストが表示される。そこで、これから出かけて行って録画を行う地域が、“東京”である場合、ユーザはカーソルキー３８ｂ、３８ｃおよびセットキー３８ｆを操作して、図８（ａ）で“東京”を選択すると、図８（Ｂ）に示す“東京”のデジアナ対比テーブル３６ｄが表示される。このデジアナ対比テーブル３６ｄには、デジタル放送のチャネル番号だけでなく、対応するアナログ放送のチャネル番号およびその放送局名もモニタ７０に表示される。
【００４８】
そこで、ユーザは、表示されたこれらの情報を手がかりとして、カーソルキー３８ｂ、３８ｃおよびセットキー３８ｆを操作することによって、デジアナ対比テーブル３６ｄから所望の放送局のチャネル番号を選択することができる。所望のチャネル番号が選択されると、予約設定画面のチャネル番号の欄に選択されたチャネル番号が記載され、チャネル番号が記載された予約設定画面がモニタ７０に表示される。さらに、登録キーが操作されると、録画予約情報がフラッシュメモリに保存されて録画予約が完了する。このようにして、ユーザの東京滞在中に、予約設定画面に記載された録画予約情報に基づいて“東京”で放送される番組がメモリカード５２に録画される。
【００４９】
次に、図９および図１０を参照して、録画予約情報をフラッシュメモリ３６に保存する場合のＣＰＵ３２の動作について説明する。ステップＳ１で、録画ボタン３８ｉが操作されたか否かを判断する。その結果、ＮＯと判断した場合、すなわち録画ボタン３８ｉ以外のボタンが操作された場合、ステップＳ３で、操作されたボタンに対応するその他の処理を実行し、ステップＳ１に戻る。一方、ＹＥＳと判断したときは、ステップＳ５に進み、モニタ７０に予約設定画面を表示する。ステップＳ７では、予約設定画面に表示された終了キーが操作されたか否かを判断する。その結果、ＹＥＳと判断した場合は、ステップＳ９で、モニタ７０から予約設定画面を消去し、処理を終了する。一方、ＮＯと判断した場合は、ステップＳ１１に進む。
【００５０】
ステップＳ１１では、予約設定画面に表示されたメニューキーが操作されたか否かを判断する。その結果、ＮＯと判断した場合は、さらにステップＳ１３で、チャネル番号が入力されたか否かを判断する。その結果、ＮＯと判断した場合は、ステップＳ７に戻る。一方、ＹＥＳと判断した場合は、後述するステップＳ５１に進む。
【００５１】
ステップＳ１５では、チャネル番号設定メニューをモニタ７０に表示する。そして、ステップＳ１７、ステップＳ１９、ステップＳ２１およびステップＳ２３の各々で、表示されたチャネル番号設定メニューの中からいずれのテーブルリストが選択されたかを判断する。チャネルスキャンテーブル３６ａが選択されたときは、ステップＳ１７でＹＥＳと判断し、ステップＳ２５でチャネルスキャンテーブルリストをモニタ７０に表示する。ステップＳ２７では、表示されたチャネルスキャンテーブルリストの中から、これから出かけて行って録画を行う地域の都道府県名が選択されるまで待機する。都道府県名が選択されると、ステップＳ２９では、選択された都道府県のチャネルスキャンテーブル３６ａをモニタ７０に表示し、後述するステップＳ４９に進む。
【００５２】
ステップＳ１７でＮＯと判断し、視聴履歴テーブルリストが選択されたときは、ステップＳ１９でＹＥＳと判断し、ステップＳ３１で視聴履歴テーブルリストをモニタ７０に表示する。ステップＳ３３では、表示された視聴履歴テーブルリストの中から、これから出かけて行って録画する地域の都道府県名が選択されるまで待機する。都道府県名が選択されると、ステップＳ３５では、選択された都道府県の視聴履歴テーブル３６ｂをモニタ７０に表示し、後述するステップＳ４９に進む。
【００５３】
ステップＳ１９でＮＯと判断し、地域情報テーブルリストが選択されたときは、ステップＳ２１でＹＥＳと判断し、ステップＳ３７で地域情報テーブルリストをモニタ７０に表示する。ステップＳ３９では、表示された地域情報テーブルリストの中から、これから出かけて行って録画する地域の都道府県名が選択されるまで待機する。都道府県名が選択されると、ステップＳ４１では、選択された都道府県の地域情報テーブル３６ｃをモニタ７０に表示し、後述するステップＳ４９に進む。
【００５４】
ステップＳ２１でＮＯと判断し、デジアナ対比テーブルリストが選択されたときは、ステップＳ２３でＹＥＳと判断し、ステップＳ４３で地域情報テーブルリストをモニタ７０に表示する。一方、ステップＳ２３でＮＯと判断したときは、ステップＳ１７に戻る。ステップＳ４５では、表示されたデジアナ対比テーブルリストの中から、これから出かけて行って録画する地域の都道府県名が選択されるまで待機する。都道府県名が選択されると、ステップＳ４７では、選択された都道府県のデジアナ対比テーブルをモニタ７０に表示し、ステップＳ４９に進む。
【００５５】
ステップＳ４９で、モニタ７０に表示されたチャネルスキャンテーブル３６ａ、視聴履歴テーブル３６ｂ、地域情報テーブル３６ｃおよびデジアナ対比テーブル３６ｄのいずれかのテーブルから、所望のチャネルが選択されたか否かを判断する。その結果、ＮＯと判断した場合は、ステップＳ１５に戻る。一方、ＹＥＳと判断した場合は、ステップＳ５１で、チャネル番号が記載された予約設定画面をモニタ７０に表示する。ステップＳ５３では、テンキー３８ａが操作されて、録画日時、放送開始時刻、放送終了時刻および画質が入力されるまで待機する。ステップＳ５５では、予約設定画面の登録キーが操作されたか否かを判断し、ＮＯと判断した場合はステップＳ５に戻る。一方、ＹＥＳと判断した場合は、ステップＳ５７で、予約設定画面に記載された録画予約情報をフラッシュメモリ３６に保存した後、ステップＳ５に戻る。
【００５６】
以上の説明から分かるように、メモリカード５２に記録されたチャネルスキャンテーブル３６ａ、視聴履歴テーブル３６ｂなどに記載されたチャネル情報を読み出し、読み出したチャネル情報をモニタ７０に表示する。表示されたチャネル情報の中から、ユーザによって所望の番組のチャネル番号が選択されると、選択されたチャネル番号を含む受信予約情報に基づいて番組の受信を予約する。
【００５７】
このように、チャネル番号を正確に記録していない場合であっても、メモリカード５２に記録されているチャネル情報に基づいてチャネル番号を選択するので、所望の番組の受信を予約することができる。
【００５８】
受信された所望の番組を、メモリカード５２に録画する。この場合、ユーザは、録画された番組をいつでも再生して楽しむことができる。
【００５９】
チャネル情報を都道府県毎にまとめたチャネルスキャンテーブルリスト、視聴履歴テーブルリストなどのリストをモニタ７０に表示する。そして、表示されたリストに基づき、所望の都道府県のチャネル情報を選択する。この場合、チャネル番号を迅速に選択できる。
【００６０】
チャネル情報を種別毎にまとめたリストであるチャネル番号設定メニューをモニタ７０に表示する。そして、表示されたチャネル番号設定メニューに基づき、チャネルスキャンテーブルリスト、視聴履歴テーブルリストなどのリストの中から所望の種別のリストを選択する。この場合、チャネル番号設定メニューを利用してチャネル番号をより迅速に選択できる。
【００６１】
なお、上述の説明では、メモリカード５２に記録されたチャネル情報に基づいて、所望の番組を録画予約する場合について説明したが、これに限定されず所望の番組を視聴予約する場合であってもよい。
【００６２】
また、上述の説明では、録画予約を行う地域と録画を行う地域とが異なる地域である場合について説明したが、これらの地域は同じ地域であってもよい。
【図面の簡単な説明】
【００６３】
【図１】この発明の一実施例を示すブロック図である。
【図２】図１実施例の外観を示す図解図である。
【図３】図１実施例のモニタの画面を示す図解図である。
【図４】図１実施例のモニタの他の画面を示す図解図である。
【図５】図１実施例のモニタのその他の画面を示す図解図である。
【図６】図１実施例のさらにその他の画面を示す図解図である。
【図７】図１実施例のモニタの他の画面を示す図解図である。
【図８】図１実施例のモニタのその他の画面を示す図解図である。
【図９】図１実施例の動作の一部を示すフロー図である。
【図１０】図１実施例の動作の他の一部を示すフロー図である。
【図１１】図１実施例の動作のその他の一部を示すフロー図である。
【符号の説明】
【００６４】
１０…携帯電話
３２…ＣＰＵ
３６…フラッシュメモリ
３６ａ…チャネルスキャンテーブル
３６ｂ…視聴履歴テーブル
３６ｃ…地域情報テーブル
３６ｄ…デジアナ対比テーブル
３８ｂ〜３８ｅ…カーソルキー
３８ｆ…セットキー
３８ｊ…録画ボタン
５０…メモリカードコントローラ
５２…メモリカード
７０…モニタ
【図１】
2006013586.tif 000003
【図２】
2006013586.tif 000004
【図３】
2006013586.tif 000005
【図４】
2006013586.tif 000006
【図５】
2006013586.tif 000007
【図６】
2006013586.tif 000008
【図７】
2006013586.tif 000009
【図８】
2006013586.tif 000010
【図９】
2006013586.tif 000011
【図１０】
2006013586.tif 000012
【図１１】
2006013586.tif 000013